(57)【要約】【課題】ＣＯ２センサの出力を精度よく校正し、室内空気のＣＯ２濃度を基準値以下に保つ換気装置を提供する。【解決手段】室内の二酸化炭素濃度を計測するＣＯ２センサ８と、計測期間中のＣＯ２センサ８の計測値に基づいてＣＯ２センサ８の出力を校正する校正手段８２と、排気ファン７及び給気ファン４を制御して換気運転を行う風量制御手段１３と、室内が無人であるか否かを判定する無人判定手段（時計手段１４、制御回路１０）とを備え、制御回路１０は、無人判定手段により室内が無人であると判定された場合に、排気ファン７及び給気ファン４を動作させて強制換気運転を行い、校正手段８２は、強制換気運転の後に、ＣＯ２センサ８の出力の校正処理を行う。【選択図】図３
2014173799.tif 000002
【特許請求の範囲】
【請求項１】
送風機を動作させて室内空気を室外へ排気する排気運転、及び送風機を動作させて室外空気を室内へ給気する給気運転のいずれか又は両方を行う換気装置であって、
前記室内の二酸化炭素濃度を計測するＣＯ２センサと、
計測期間中の前記ＣＯ２センサの計測値に基づいて前記ＣＯ２センサの出力を校正する校正手段と、
前記送風機を制御する制御手段と、
前記室内が無人であるか否かを判定する無人判定手段とを備え、
前記制御手段は、前記無人判定手段により前記室内が無人であると判定された場合に、前記送風機を動作させて強制換気運転を行い、
前記校正手段は、前記強制換気運転の後に、前記ＣＯ２センサの出力の校正処理を行う
ことを特徴とする換気装置。
【請求項２】
前記校正手段は、
前記計測期間中に前記ＣＯ２センサが計測した二酸化炭素濃度の最低値に基づいて、前記ＣＯ２センサの出力の校正を行う
ことを特徴とする請求項１記載の換気装置。
【請求項３】
前記計測期間の長さは、前記無人判定手段が前記室内が無人と判定してから次に無人と判定するまでの期間に基づいて調整される
ことを特徴とする請求項１又は請求項２に記載の換気装置。
【請求項４】
前記計測期間は周期的に設けられるとともに、前記強制換気運転は周期的に実行され、
前記強制換気運転を行う周期は、前記計測期間が設けられる周期以下の長さである
ことを特徴とする請求項１〜請求項３のいずれか一項に記載の換気装置。
【請求項５】
前記制御手段は、前記強制換気運転の１回当たりの時間を、当該強制換気運転中に前記ＣＯ２センサが計測した二酸化炭素濃度の単位時間当たりの変化量に基づいて調整する
ことを特徴とする請求項１〜請求項４のいずれか一項に記載の換気装置。
【請求項６】
時計手段を備え、
前記無人判定手段は、前記時計手段が計時した時刻と日付のいずれか又は両方に基づいて、前記室内が無人であるか否かを判定する
ことを特徴とする請求項１〜請求項５のいずれか一項に記載の換気装置。
【請求項７】
人感センサを備え、
前記無人判定手段は、前記人感センサの検出結果に基づいて、前記室内が無人であるか否かを判定する
ことを特徴とする請求項１〜請求項５のいずれか一項に記載の換気装置。
【請求項８】
人感センサを備えた他の装置との間で通信を行う通信手段を備え、
前記無人判定手段は、前記通信手段を介して取得した前記他の装置の前記人感センサの検出結果に基づいて、前記室内が無人であるか否かを判定する
ことを特徴とする請求項１〜請求項５のいずれか一項に記載の換気装置。
【請求項９】
前記室内の照明が消灯しているか否かを検出する照度センサを備え、
前記無人判定手段は、前記照度センサの検出結果に基づいて、前記室内が無人であるか否かを判定する
ことを特徴とする請求項１〜請求項５のいずれか一項に記載の換気装置。
【請求項１０】
照明装置の点灯状態と消灯状態を切り替える照明スイッチとの間で通信を行う通信手段を備え、
前記無人判定手段は、前記通信手段を介して取得した前記照明装置が消灯状態であるか否かの検出結果に基づいて、前記室内が無人であるか否かを判定する
ことを特徴とする請求項１〜請求項５のいずれか一項に記載の換気装置。
【請求項１１】
操作入力を受け付ける操作手段を備え、
前記無人判定手段は、前記操作手段に対する操作の有無に基づいて、前記室内が無人であるか否かを判定する
ことを特徴とする請求項１〜請求項５のいずれか一項に記載の換気装置。
【請求項１２】
請求項１〜請求項１１のいずれか一項に記載の換気装置と、
前記換気装置が換気対象とする前記室内の空気調和を行う空気調和装置とを備えた
ことを特徴とする空調システム。
【発明の詳細な説明】
【技術分野】
【０００１】
本発明は、換気装置及び換気装置を備えた空調システムに関する。
【背景技術】
【０００２】
建築物における衛生的環境の確保に関する法律（通称：ビル管理法）では、特定建築物の居室内のＣＯ２濃度を１０００ｐｐｍ以下とすることが定められている。この基準を満たすためには、例えばタイマーなどで時間を計測して一定期間毎に換気装置を強制運転させる方法もあるが、これは居室内に人がいない場合などは無駄な換気運転となる。このため、室内空気の二酸化炭素（以下、ＣＯ２と記す）濃度を計測するセンサ（以下、ＣＯ２センサ）の検出値に基づいて、換気が必要な場合のみ換気運転を行う換気装置の需要が高くなっている。従来の換気装置では、内蔵されたＣＯ２センサあるいは外付けされたＣＯ２センサからの計測結果を換気装置に入力して、室内空気のＣＯ２濃度が１０００ｐｐｍを超えないように換気風量を自動制御している。
【０００３】
ここで、現在一般的なＣＯ２センサは、センサを構成する部品の経時変化等により計測値出力が時間とともに変動するため、正確な計測値を得るためには定期的な校正処理が必要である。このため、自動校正機能を備えたＣＯ２センサが提案されている。そのようなものとして、例えば、予め選択された測定サイクルの間に計測されたＣＯ２濃度の最低測定値をメモリに格納し、新鮮空気のＣＯ２濃度である４００ｐｐｍを目標値として、最低測定値と目標値とを比較した結果に基づいて、次の測定サイクルの測定値の補償を行う技術がある（特許文献１参照）。
【先行技術文献】
【特許文献】
【０００４】
【特許文献１】特表２００７−５０２４０７号公報（第１７頁、第１８頁）
【発明の概要】
【発明が解決しようとする課題】
【０００５】
特許文献１に記載の換気装置では、ＣＯ２センサの自動校正機能によって、測定サイクルの間のＣＯ２濃度の最低測定値を、新鮮空気のＣＯ２濃度である４００ｐｐｍに近づけるように補償が行われる。このため、測定サイクルの間に室内空気のＣＯ２濃度が新鮮空気と同等とみなせるまで低下する環境においては、ＣＯ２濃度の計測結果の誤差は小さくなり、室内空気のＣＯ２濃度が１０００ｐｐｍを超えないように制御を行うことができると考えられる。
【０００６】
しかしながら、測定サイクルの間に室内空気のＣＯ２濃度が新鮮空気と同等とみなせるまで低下するという条件は、常に満たされるとは限らない。例えば通常のオフィスであれば深夜や休日などの無人時に室内空気のＣＯ２濃度が低下するため、測定サイクルを１週間程度に設定すれば、上述のようなＣＯ２濃度が新鮮空気と同等とみなせる時間帯を測定サイクル内に含むことができる。しかし、２４時間体制で監視業務を行っている場合など、室内がほとんど無人とならない条件の環境において測定サイクルを１週間程度に設定すると、測定サイクル内において室内空気のＣＯ２濃度は新鮮空気と同等まで低下しないと考えられる。このように、ＣＯ２センサの校正を実施するための適切な測定サイクルは、換気装置が設置される環境の状況によって異なる。また、換気対象の建築物の構造による影響も考えられる。例えば対象となる部屋の密閉度が高い場合には、室内が無人となっても室内空気のＣＯ２濃度が十分に低下しないことがある。
【０００７】
測定サイクルの間に室内空気のＣＯ２濃度が新鮮空気よりも高い濃度を維持している環境に、上記特許文献１に記載の技術を適用すると、自動校正によって誤った補償が行われ、ＣＯ２濃度の計測結果の誤差は大きくなる。例えば測定サイクルの間の室内空気の実際の最低濃度が５００ｐｐｍであったと仮定すると、実際のＣＯ２濃度が５００ｐｐｍの場合の計測結果が、新鮮空気のＣＯ２濃度である４００ｐｐｍに近づくように補償が行われることになり、補償後のＣＯ２濃度の計測結果は実際のＣＯ２濃度よりも小さくなる。この補償後のＣＯ２濃度の計測結果に基づいて換気装置が風量制御を行うと、室内空気のＣＯ２濃度が１０００ｐｐｍを超えてしまう可能性がある。
【０００８】
本発明は、上述のような課題を背景としてなされたもので、ＣＯ２センサの出力を精度よく校正し、室内空気のＣＯ２濃度を基準値以下に保つ換気装置及びその換気装置を備えた空調システムを提供するものである。
【課題を解決するための手段】
【０００９】
本発明に係る換気装置は、送風機を動作させて室内空気を室外へ排気する排気運転、及び送風機を動作させて室外空気を室内へ給気する給気運転のいずれか又は両方を行う換気装置であって、前記室内の二酸化炭素濃度を計測するＣＯ２センサと、計測期間中の前記ＣＯ２センサの計測値に基づいて前記ＣＯ２センサの出力を校正する校正手段と、前記送風機を制御する制御手段と、前記室内が無人であるか否かを判定する無人判定手段とを備え、前記制御手段は、前記無人判定手段により前記室内が無人であると判定された場合に、前記送風機を動作させて強制換気運転を行い、前記校正手段は、前記強制換気運転の後に、前記ＣＯ２センサの出力の校正処理を行うものである。
【００１０】
本発明に係る空調システムは、前記換気装置と、この換気装置が換気対象とする前記室内の空気調和を行う空気調和装置とを備えたものである。
【発明の効果】
【００１１】
本発明によれば、換気対象となる室内の状況に合わせてＣＯ２センサの出力を校正することができるため、ＣＯ２センサは室内空気のＣＯ２濃度を精度よく検出できる。検出したＣＯ２濃度に応じて換気運転を実行する換気装置は、室内空気のＣＯ２濃度を基準値以下に精度よく保つことができ、無用の換気運転を減らして換気運転に係るエネルギーを節約することができる。
【図面の簡単な説明】
【００１２】
【図１】本発明の実施の形態１に係る換気装置の構成を示す図である。
【図２】本発明の実施の形態１に係るＣＯ２センサの機能ブロック図である。
【図３】本発明の実施の形態１に係る換気装置のＣＯ２センサの校正処理を説明するフローチャートである。
【図４】本発明の実施の形態２に係る換気装置の構成を示す図である。
【図５】本発明の実施の形態２に係るＣＯ２センサの機能ブロック図である。
【図６】本発明の実施の形態２に係る換気装置のＣＯ２センサの校正処理を説明するフローチャートである。
【図７】本発明の実施の形態３に係る換気装置の構成を示す図である。
【図８】本発明の実施の形態３に係る換気装置のＣＯ２センサの校正処理を説明するフローチャートである。
【図９】本発明の実施の形態４に係る換気装置の構成を示す図である。
【図１０】本発明の実施の形態４に係る換気装置のＣＯ２センサの校正処理を説明するフローチャートである。
【発明を実施するための形態】
【００１３】
以下、本発明に係る換気装置を、熱交換素子を備え第一種換気方式の熱交換型換気装置に適用した場合の実施の形態を、図面に基づいて説明する。なお、以下に示す図面の形態によって本発明が限定されるものではない。
【００１４】
実施の形態１．
図１は、本発明の実施の形態１に係る換気装置の構成を示す図である。図１において、熱交換型の換気装置１００の筐体１０１には、室外側給気口１、室内側給気口３、室内側排気口５、及び室外側排気口６が形成されている。室外側給気口１（ＯＡ）から熱交換素子２を通り室内側給気口３（ＳＡ）へ空気を供給する給気通路１０２に、給気ファン４が備えられている。また室内側排気口５（ＲＡ）から熱交換素子２を通り室外側排気口６（ＥＡ）へ空気を排出する排気通路１０３に、排気ファン７が備えられている。なお、給気通路１０２及び排気通路１０３は、筐体１０１内に形成された通路であるが、図１では説明のためこれらを流れる空気を矢印で示している。
【００１５】
給気ファン４が動作すると、室外側給気口１から室外空気が筐体１０１内に吸い込まれ、この室外空気は熱交換素子２を通過し、給気ファン４に送出されて室内側給気口３から室内へと給気として吹き出される。また、排気ファン７が動作すると、室内側排気口５から室内空気が筐体１０１内に吸い込まれ、この室内空気は熱交換素子２を通過し、排気ファン７に送出されて室外側排気口６から室外へと排気として吹き出される。給気通路１０２を流れる室外空気と、排気通路１０３を流れる室内空気は、熱交換素子２において熱を交換する。これにより、換気運転を行う際に、例えば冬季には室内の熱の室外への流出を抑え、夏季には室外からの熱の室内への流入を抑えている。
【００１６】
ＣＯ２センサ８は、室内空気のＣＯ２濃度を計測するセンサであり、室内から排気される室内空気が通過する経路上に設けられている。ＣＯ２センサ８が計測したＣＯ２濃度の値（ＣＯ２濃度計測値）は、ＣＯ２センサ８と制御回路１０とを接続する通信線９を介して制御回路１０に送出され、制御回路１０に設けられたＣＯ２計測値記憶手段１１において記憶保持される。なお、本実施の形態１では、排気通路１０３内であって室内側排気口５の近くにＣＯ２センサ８が設けられているが、ＣＯ２センサ８の設置場所は図示のものに限定されず、例えば筐体１０１の表面の室内側排気口５の近傍など、室内空気と接触する任意の場所に設置することができる。あるいは、ＣＯ２センサ８を、筐体１０１とは離して室内に設置し、ＣＯ２センサ８の検出値を、有線又は無線通信で制御回路１０に入力するようにしてもよい。
【００１７】
制御回路１０は、ＣＰＵ及び不揮発性メモリ等（いずれも図示せず）を含み、ＣＯ２センサ８から出力される情報及びリモコン等の操作装置（図示せず）からの操作信号入力に応じて、予め記憶された制御プログラムに基づいて給気ファン４及び排気ファン７を動作させる。制御回路１０に設けられている主要な構成は、ＣＯ２計測値記憶手段１１、ＣＯ２センサ校正実行指示手段１２、風量制御手段１３、及び時計手段１４である。
【００１８】
制御回路１０に設けられたＣＯ２センサ校正実行指示手段１２は、通信線９を介してＣＯ２センサ８に対して校正実行を指示する機能を有する。ＣＯ２センサ校正実行指示手段１２が、通信線９を介して校正実行コマンドをＣＯ２センサ８に送出すると、ＣＯ２センサ８は、コマンドを受信した時点で自身の出力を校正する校正処理を実行する。
【００１９】
制御回路１０内の風量制御手段１３は、給気ファン４及び排気ファン７を制御することにより、換気装置１００の換気風量を変更する。風量制御手段１３は、ＣＯ２センサ８の出力に基づいて換気風量を調整する自動制御モードと、リモコン等の操作装置（図示せず）の指示に基づいて換気風量を調整する手動制御モードの２種類のモードを少なくとも有する。
【００２０】
換気風量を自動制御するモードのときには、風量制御手段１３は、ＣＯ２センサ８から定期的に出力されＣＯ２計測値記憶手段１１に保持されたＣＯ２濃度計測値が、所定の閾値（以下、ＣＯ２閾値）に近づいたときに、換気風量を多くする。逆にＣＯ２濃度計測値がＣＯ２閾値に対して十分に小さい場合には、換気風量を少なく（あるいは換気を停止）する。このように制御することで、ＣＯ２濃度計測値が所定のＣＯ２閾値を超えないように、かつ無駄な換気動作による消費電力の増加を抑えるように働く。ここで所定のＣＯ２閾値は、例えばビル管理法において特定建築物の居室のために定められた法定値である１０００ｐｐｍとすることができる。また測定誤差や換気に要する時間などによってＣＯ２閾値を超える可能性がある場合には、マージンを見込んで１０００ｐｐｍよりも小さい値をＣＯ２閾値としてもよい。
自動制御を行わず換気風量を手動制御するモードのときには、風量制御手段１３は、例えば手元リモコン（図示せず）などの指示に応じて換気風量を変更する。
【００２１】
制御回路１０内の時計手段１４は、例えば、所定周波数のクロック信号を出力する発振子と、時、分、秒のカウンタとを有し、クロック信号に基づいて各カウンタをカウントアップすることで、時間を計る。制御回路１０は、時計手段１４から現在の時刻を取得することができる。
【００２２】
なお、図１に示した制御回路１０の図は、制御回路１０の機能を概念的に示したブロック図であり、必ずしも実際の物理的構成が図示のように構成されていることを要しない。
また、制御回路１０に設けられたＣＯ２計測値記憶手段１１、ＣＯ２センサ校正実行指示手段１２、風量制御手段１３、及び時計手段１４以外の構成が実行する機能については、以下の説明においては単に制御回路１０が実行するものとして説明する。
【００２３】
図２は、本発明の実施の形態１に係るＣＯ２センサの機能ブロック図である。ＣＯ２センサ８は、センサ部８１と、校正手段８２と、記憶手段８３とを備える。センサ部８１は、任意の方式で空気中のＣＯ２濃度を検出し、検出した情報を通信線９を介して制御回路１０に出力する。
【００２４】
校正手段８２は、制御回路１０のＣＯ２センサ校正実行指示手段１２からの指示に基づいて、センサ部８１の出力の校正処理を行う。具体的には、ＣＯ２センサ８は、校正実行コマンドを受信した時点で計測していたＣＯ２濃度計測値と基準値（以下、校正基準値）とを比較して、ＣＯ２濃度計測値と基準値とを一致させるように、自身の出力を校正する。なお、校正基準値は、ＣＯ２センサ８が予め記憶しているものとする。例えば、校正基準値が、新鮮空気のＣＯ２濃度を示す値（例えば４００ｐｐｍ）であれば、ＣＯ２センサ８が校正処理を実行すると、そのときのＣＯ２センサ８の周辺の空気を新鮮空気とみなす校正が行われる。
【００２５】
記憶手段８３は、校正手段８２が校正処理を実施するときに用いるＣＯ２基準値を少なくとも記憶する。
なお、図２に示したＣＯ２センサ８は、ＣＯ２センサ８の機能を概念的に示したブロック図であり、必ずしも実際の物理的構成が図示のように構成されていることを要しない。
【００２６】
次にＣＯ２センサ８の校正処理について、具体的に説明する。図３は、本発明の実施の形態１に係る換気装置のＣＯ２センサの校正処理を説明するフローチャートである。
【００２７】
制御回路１０は、時計手段１４から現在の時刻Ｔを取得する（Ｓ１）。
【００２８】
続いて制御回路１０は、取得した現在の時刻Ｔが、予め定めた校正実施時間の開始時刻Ｔｓから終了時刻Ｔｅの範囲内であるかどうかを判定する（Ｓ２）。現在の時刻Ｔが開始時刻Ｔｓから終了時刻Ｔｅの範囲内であれば（Ｓ２；Ｙｅｓ）、ステップＳ３へ進み、範囲外のときには（Ｓ２；Ｎｏ）、ステップＳ４へ進む。ここで、例えば開始時刻Ｔｓを午後１１時、終了時刻Ｔｅを午前５時のように、深夜から早朝などの換気対象の室内が無人である可能性が高い時間帯になるように設定する。本実施の形態１では、時刻を用いて室内が無人であるか否かを判定（推定）しており、時計手段１４及び制御回路１０が、室内が無人であるか否かを判定する無人判定手段として機能している。
【００２９】
ステップＳ３では、ＣＯ２センサ校正実行指示手段１２は、校正実施済フラグＦ１を参照し、すでに校正処理実施済みであるかどうかを判定する。校正処理未実施のときは（Ｓ３；Ｎｏ）ステップＳ５へ進み、校正処理実施済みのときは（Ｓ３；Ｙｅｓ）、ステップＳ１へ戻る。なお、図３の例では、校正実施済フラグＦ１の値は、１が校正実施済みを示し、０が校正処理未実施を示している。校正実施済フラグＦ１は、制御回路１０に設けられた図示しない記憶手段に記憶される。
【００３０】
ステップＳ４では、制御回路１０は、校正実施済フラグＦ１をクリアしてステップＳ１へ戻る。
【００３１】
ステップＳ５では、風量制御手段１３は、給気ファン４及び排気ファン７を制御して、所定の換気風量で所定の時間、強制換気運転を実施する。強制換気運転は、ＣＯ２センサ８の周囲の空気が新鮮空気と同等になるようにするための運転であり、強制換気運転の換気風量及び時間は、予め定められている。強制換気運転を実行すると、室外の新鮮空気が室外側給気口１から換気装置１００内に吸い込まれ、室内側給気口３から室内へと供給され、また供給された空気は室内側排気口５から換気装置１００内に吸い込まれ、室外側排気口６を通って室外へと排出される。これにより、室内側排気口５の近くに設置されたＣＯ２センサ８の周囲の空気が新鮮空気と同等のＣＯ２濃度となる。なお、熱交換型の換気装置１００が天井裏に設置されている場合などＣＯ２センサ８の設置位置と室内との間に距離があるときには、強制換気運転の換気風量を多く、あるいは強制換気運転の時間を長くする。このようにすることで、ＣＯ２センサ８の周囲の空気をより新鮮空気に近づけることができる。強制換気運転を実施した後、ステップＳ６へ進む。
【００３２】
ステップＳ６では、ＣＯ２センサ校正実行指示手段１２が、ＣＯ２センサ８に校正実行の指示を行う。校正実行の指示を受けたＣＯ２センサ８の校正手段８２は、強制換気運転の後の計測期間中にＣＯ２センサ８のセンサ部８１が計測したＣＯ２濃度の値を、校正基準値（例えば新鮮空気のＣＯ２濃度である４００ｐｐｍ）とみなすように、出力の校正を実行する。ステップＳ６が終了すると、ステップＳ７へ進む。
【００３３】
ステップＳ７では、制御回路１０は、校正実施済フラグＦ１に値をセットして、ステップＳ１に戻る。校正実施済フラグＦ１を使用して校正を実施するか否かを判定することによって、開始時刻Ｔｓから終了時刻Ｔｅまでの校正実施時間の範囲内になったときに、１回だけ校正が実施される。
【００３４】
このようなステップＳ１からステップＳ７の処理は繰り返し実行され、強制換気運転が周期的に実行されるとともに、各強制換気運転の後に設けられる計測期間中のＣＯ２センサ８の計測値に基づいてＣＯ２センサ８の出力の校正も周期的に実行される。
【００３５】
以上のステップＳ１からステップＳ７のように制御を行うことにより、時刻に基づいて無人と判定された状態で強制換気運転を行い、ＣＯ２センサ８の周囲の空気を新鮮空気に極めて近い状態として計測期間中に計測されたＣＯ２濃度に基づいて、ＣＯ２センサ８の出力の校正を実施することができる。したがって、自動校正機能をＣＯ２センサ８が備えていなくとも、ＣＯ２センサ８は高い精度でＣＯ２濃度の検出を行うことが可能となる。ＣＯ２センサ８が高い精度でＣＯ２濃度を検出できるので、検出したＣＯ２濃度に応じて換気運転を実行する換気装置１００の換気運転の信頼性が高まり、室内空気のＣＯ２濃度を基準値以下に精度よく保つことができる。また、無用の換気運転を減らして換気運転に係るエネルギーを節約することができる。
【００３６】
なお、図３のステップＳ４では校正実施済フラグＦ１をクリアしているが、これを行わず、別途定める期間（例えば１週間）に一度校正実施済フラグＦ１をクリアするように構成してもよい。この場合には、ＣＯ２センサ８の出力の校正処理は、１日１回ではなく別途定める期間に１回実施されるようになる。
【００３７】
また、時計手段１４は、時刻だけでなく日付（年、月、日、並びに曜日及び祝日情報も含む）も参照可能なカレンダー機能を有していてもよい。この場合は、図３のステップＳ２で時間範囲を判定することに代えて、日付から換気対象の場所が休日であるかどうかを判定することによって無人であるか否かを判定し、無人の状態でＣＯ２センサ８の校正を実施できる。また時刻と曜日の組み合わせで換気対象の場所が無人であるか否かを判定することにより、平日の深夜と休日の昼間のいずれか、あるいは両方でＣＯ２センサ８の校正を行ってもよい。
【００３８】
本実施の形態１では、熱交換素子２を備えた熱交換型の換気装置１００を例に説明したが、これに限らず熱交換機能のない換気扇等の換気装置に本発明を適用してもよく、同様にＣＯ２センサ８の校正を行うことが可能である。このことは、後述する実施の形態においても同様である。
【００３９】
実施の形態２．
前述の実施の形態１では、制御回路１０のＣＯ２センサ校正実行指示手段１２がＣＯ２センサ８に対して校正実行を指示するように構成されていたが、ＣＯ２センサに自動校正機能を設けてもよい。以下、このような実施の形態について説明する。図４は、本発明の実施の形態２に係る換気装置の構成を示す図である。図１と同じ要素については同じ符号を用いて説明を省略し、実施の形態１との相違点を中心に説明する。
【００４０】
図４に示すように、本実施の形態の制御回路１０Ａは、実施の形態１で示したＣＯ２センサ校正実行指示手段１２を備えていない。また、本実施の形態では、実施の形態１で示したＣＯ２センサ８に代えてＣＯ２センサ８Ａが設けられている。ＣＯ２センサ８Ａは、室内から排気される室内空気が通過する経路上に設けられ、制御回路１０Ａと通信線９で接続されている点では実施の形態１と同様であるが、自動校正機能を備えている点で異なる。これら以外の構成は、実施の形態１と同様である。
【００４１】
図５は、本発明の実施の形態２に係るＣＯ２センサの機能ブロック図である。ＣＯ２センサ８Ａは、実施の形態１で示したＣＯ２センサ８の機能に加えて、制御回路１０からの指示によらず自動で校正処理を実行する機能を有する。具体的には、ＣＯ２センサ８Ａは、センサ部８１、校正手段８２Ａ及び記憶手段８３に加え、時計手段８４を備える。時計手段８４は、所定周波数のクロック信号を出力する発振子と、時、分、秒のカウンタとを有し、クロック信号に基づいて各カウンタをカウントアップすることで、時間を計る。校正手段８２Ａは、時計手段８４が計測した所定の測定サイクルＴｃにおけるＣＯ２濃度の最低計測値を、校正基準値（例えば新鮮空気のＣＯ２濃度を示す値である４００ｐｐｍ）に近づけるように、センサ部８１の出力の校正処理を行う。校正手段８２Ａは、所定の測定サイクルＴｃで周期的に校正処理を実行する。
【００４２】
次に、本実施の形態２に係るＣＯ２センサ８Ａの校正処理に関する動作を説明する。
図６は、本発明の実施の形態２に係る換気装置のＣＯ２センサの校正処理を説明するフローチャートである。図６の紙面左側に示すフローチャートは制御回路１０が実行する強制換気運転の処理、紙面右側に示すフローチャートは、ＣＯ２センサ８Ａが実行する校正処理である。
【００４３】
まず、強制換気運転を説明する。
ステップＳ１０において、制御回路１０は、時計手段１４から現在の時刻Ｔを取得する。
【００４４】
制御回路１０は、取得した現在の時刻Ｔが予め定めた強制換気実施時間の開始時刻Ｔｓから終了時刻Ｔｅの範囲内であるかどうかを判定する（Ｓ１１）。現在の時刻Ｔが開始時刻Ｔｓから終了時刻Ｔｅの範囲内であれば（Ｓ１１；Ｙｅｓ）、ステップＳ１２へ進み、範囲外のときには（Ｓ１１；Ｎｏ）、ステップＳ１３へ進む。ここで、実施の形態１と同様に、例えば開始時刻Ｔｓを午後１１時、終了時刻Ｔｅを午前５時のように、深夜から早朝などの換気対象の室内が無人である可能性が高い時間帯になるように設定する。本実施の形態２では、時刻を用いて室内が無人であるか否かを判定（推定）しており、時計手段１４及び制御回路１０が、室内が無人であるか否かを判定する無人判定手段として機能している。
【００４５】
ステップＳ１２では、制御回路１０は、強制換気実施済フラグＦ２を参照し、すでに強制換気運転実施済みであるかどうかを判定する。強制換気運転未実施のときは（Ｓ１２；Ｎｏ）、ステップＳ１４へ進み、強制換気運転実施済みのときは（Ｓ１２；Ｙｅｓ）、ステップＳ１０へ戻る。
【００４６】
ステップＳ１３では、制御回路１０は、強制換気実施済フラグＦ２をクリアしてステップＳ１０へ戻る。
【００４７】
ステップＳ１４では、風量制御手段１３は実施の形態１で示した図３のステップＳ５と同様に、給気ファン４及び排気ファン７を制御して、所定の換気風量で所定の時間、強制換気運転を実施する。強制換気運転は、ＣＯ２センサ８Ａの周囲の空気が新鮮空気と同等になるようにするための運転であり、強制換気運転の換気風量及び時間は、予め定められている。強制換気運転が終了すると、ステップＳ１５へ進む。
【００４８】
ステップＳ１５では、制御回路１０は強制換気実施済フラグＦ２をセットして、ステップＳ１０へ戻る。強制換気実施済フラグＦ２を使用して強制換気運転を実施するか否かを判定することによって、開始時刻Ｔｓから終了時刻Ｔｅまでの強制換気実施時間の範囲内になったときに、１回だけ強制換気運転が実施される。ステップＳ１０からＳ１５の処理は繰り返し実行され、強制換気運転が周期的に実行される。
【００４９】
このような強制換気運転と並行して、ＣＯ２センサ８Ａは次に示す校正処理を実行する。
ＣＯ２センサ８Ａの校正手段８２Ａは、時計手段８４を利用して測定サイクルＴｃの経過時間の計測を開始する（Ｓ２０）。
【００５０】
校正手段８２Ａは、センサ部８１が計測した現在の計測値と、当該測定サイクルＴｃ中の計測最低値とを比較し、現在の計測値の方が小さければ（Ｓ２１；Ｙｅｓ）、現在の計測値を計測最低値として記憶手段８３に記憶させる計測最低値の更新処理を行う（Ｓ２２）。現在の計測値が、当該測定サイクルＴｃ中の計測最低値以上であれば（Ｓ２１；Ｎｏ）、ステップＳ２３へ進む。
【００５１】
ステップＳ２３では、校正手段８２Ａは、測定サイクルＴｃの時間が経過したか否かを判定し、経過していなければ（Ｓ２３；Ｎｏ）、ステップＳ２１へ戻る。したがって、測定サイクルＴｃの期間、センサ部８１が周期的にＣＯ２濃度を計測し、最低値が計測されたときには計測最低値を更新するという処理が繰り返し実行される。測定サイクルＴｃの時間が経過すると（Ｓ２３；Ｙｅｓ）、ステップＳ２４へ進む。
【００５２】
ステップＳ２４では、校正手段８２Ａは、測定サイクルＴｃという計測期間のＣＯ２濃度の計測最低値を、例えば新鮮空気のＣＯ２濃度を示す値（例えば４００ｐｐｍ）とみなすように、センサ部８１の出力の校正を実行する。ステップＳ２４が終了すると、ステップＳ２０へ戻り、次の測定サイクルＴｃが開始することとなる。
【００５３】
このように、本実施の形態２の換気装置１００Ａは、周期的に強制換気運転を行う一方で、周期的（測定サイクルＴｃ毎）にＣＯ２センサ８Ａが制御回路１０から独立して自動的に校正処理を実行する。このため、測定サイクルＴｃの間に少なくとも１回の強制換気運転が実施されていれば、この測定サイクルＴｃの間に、ＣＯ２センサ８Ａの周囲の空気が新鮮空気と同等になる状態が含まれることとなる。ＣＯ２センサ８Ａは、強制換気運転によって周囲の空気が新鮮空気と同等となったときのＣＯ２濃度を計測最低値として検出するから、これによってＣＯ２センサ８Ａは出力の校正処理を精度よく実行することができる。したがって、ＣＯ２センサ８Ａは、ＣＯ２濃度の計測をより正確に行うことができる。ＣＯ２センサ８Ａが高い精度でＣＯ２濃度を検出できるので、検出したＣＯ２濃度に応じて換気運転を実行する換気装置１００Ａの換気運転の信頼性が高まり、室内空気のＣＯ２濃度を基準値以下に精度よく保つことができる。また、無用の換気運転を減らして換気運転に係るエネルギーを節約することができる。
【００５４】
測定サイクルＴｃ及び強制換気実施時間は、測定サイクルＴｃの間に少なくとも１回の強制換気運転が実施されるように設定されていればよく、例えば測定サイクルＴｃの間に２回以上強制換気運転が実施されてもよい。
具体的には、図６ではステップＳ１３で強制換気実施済フラグＦ２をクリアしているが、これを行わず、別途定める期間Ｔａに一度、強制換気実施済フラグＦ２をクリアするように構成してもよい。この場合には、強制換気運転は上述のように１日１回ではなく期間Ｔａに１回実施されるようになる。ここで、例えばＣＯ２センサ８Ａの測定サイクルＴｃが１週間である場合は、期間Ｔａを５日間として、期間Ｔａと測定サイクルＴｃとの関係がＴａ≦Ｔｃとなるようにすれば（期間Ｔａは強制換気運転実行中の時間を含む）、測定サイクルＴｃ内に強制換気運転を実施する期間Ｔａが含まれることになるので、自動校正がより正確に実行される。
【００５５】
実施の形態３．
前述の実施の形態１及び実施の形態２では、強制換気運転を所定の時間実施していたが、換気対象の室内が無人となってからの経過時間が短い場合と、十分に時間が経過した後とでは、強制換気運転中にＣＯ２センサが計測するＣＯ２濃度の値に違いが生じるため、必要とされる強制換気運転の時間が異なる。室内が無人となってからの経過時間が短い場合でも、強制換気運転中にＣＯ２センサが室外の新鮮空気と同等のＣＯ２濃度を検出できるようにするためには、強制換気運転の時間を十分に長くとる必要が生じるが、室内が無人となってからの経過時間が長い場合の強制換気運転は相対的に短くてよい。そこで、本実施の形態３では、強制換気運転の実施時間を可変として、必要最小限の時間、強制換気運転を行うように構成する例を説明する。本実施の形態３では、実施の形態１との相違点を中心に説明する。
【００５６】
図７は、本発明の実施の形態３に係る換気装置の構成を示す図である。図７では、図１及び図４と同じ要素については同じ符号を用いて説明を省略する。
【００５７】
制御回路１０Ｂ内のＣＯ２前回計測値記憶手段１６は、予め定めたＣＯ２計測値の記憶間隔Ｔｉごとに、ＣＯ２計測値記憶手段１１に記憶されたＣＯ２計測値のコピーを記憶する。例えば記憶間隔Ｔｉ＝５分とすれば、ＣＯ２前回計測値記憶手段１６の記憶値は、５分毎に更新される。更新タイミングの直前においては、ＣＯ２前回計測値記憶手段１６に記憶されている値は、５分前のＣＯ２計測値を示していることとなる。以下ではＣＯ２計測値記憶手段１１の記憶値（つまり、現在の計測値）をＸ、ＣＯ２前回計測値記憶手段１６の記憶値をＸｏｌｄとして説明する。なお、記憶間隔Ｔｉが経過したかどうかは、例えば時計手段１４を使用することによって判定することができる。
【００５８】
次に、実施の形態３に係るＣＯ２センサ８Ａの校正処理に関する動作を説明する。
図８は、本発明の実施の形態３に係る換気装置のＣＯ２センサの校正処理を説明するフローチャートである。図８では、図６のフローチャートと同じ処理については同じ符号を用いている。
【００５９】
ステップＳ１０では、実施の形態２と同様に、制御回路１０Ｂが、時計手段１４から現在の時刻Ｔを取得する。
【００６０】
制御回路１０Ｂは、実施の形態２と同様に、取得した現在の時刻Ｔが予め定めた強制換気実施時間の開始時刻Ｔｓから終了時刻Ｔｅの範囲内であるかどうかを判定し（Ｓ１１）、範囲内であれば（Ｓ１１；Ｙｅｓ）ステップＳ１２へ進み、範囲外であれば（Ｓ１１；Ｎｏ）ステップＳ１３へ進む。本実施の形態３では、時刻を用いて室内が無人であるか否かを判定（推定）しており、時計手段１４及び制御回路１０Ｂが、室内が無人であるか否かを判定する無人判定手段として機能している。
【００６１】
ステップＳ１２では、制御回路１０Ｂは実施の形態２と同様に、強制換気実施済フラグＦ２を参照し、すでに強制換気運転実施済みであるかどうかを判定する。強制換気運転未実施のときは（Ｓ１２；Ｎｏ）、ステップＳ１４へ進み、強制換気運転実施済みのときは（Ｓ１２；Ｙｅｓ）、ステップＳ１０へ戻る。
【００６２】
ステップＳ１３では、実施の形態２と同様に、制御回路１０Ｂは強制換気実施済フラグＦ２をクリアしてステップＳ１０へ戻る。
【００６３】
ステップＳ１４では、風量制御手段１３は実施の形態１で示した図３のステップＳ５と同様に、給気ファン４及び排気ファン７を制御して、所定の換気風量で、強制換気運転を開始する。強制換気運転は、ＣＯ２センサ８Ａの周囲の空気が新鮮空気と同等になるようにするための運転であり、強制換気運転の換気風量は、予め定められている。強制換気運転が開始されてからＣＯ２計測値の記憶間隔Ｔｉが経過すると、ステップＳ１６に進む。
【００６４】
ステップＳ１６では、制御回路１０は、強制換気運転を継続するかどうかを判定する。具体的には、制御回路１０は、ＣＯ２前回計測値記憶手段１６の記憶値Ｘｏｌｄと、ＣＯ２計測値記憶手段１１の記憶値Ｘの差を計算し、ＣＯ２計測値の記憶間隔Ｔｉの間にＣＯ２濃度の計測値がどれだけ減少したかを得る。なお、この計算を正しく行うために、Ｘｏｌｄの更新タイミングの直前にステップＳ１６が実行されるようにするのがよい。制御回路１０は、得られた減少量を予め決定した閾値Ｘｓｈと比較して、ＣＯ２濃度の減少量が閾値Ｘｓｈ以下であれば（Ｓ１６；Ｙｅｓ）、風量制御手段１３に強制換気運転を終了させてステップＳ１５へ進む。ＣＯ２濃度の減少量が閾値Ｘｓｈよりも大きい場合には（Ｓ１６；Ｎｏ）、制御回路１０は、ステップＳ１４へ戻り強制換気運転を継続させる。つまり、ＣＯ２濃度の減少量が閾値Ｘｓｈ以下となるまで強制換気運転を続ける。
【００６５】
ステップＳ１５では、実施の形態２と同様に強制換気実施済フラグＦ２をセットして、ステップＳ１０へ戻る。これらの処理は繰り返し実行され、強制換気運転が周期的に実行される。
【００６６】
図８では記載を省略しているが、上述のような強制換気運転と並行して、ＣＯ２センサ８Ａは、実施の形態２の図６のステップＳ２０〜ステップＳ２４と同様の校正処理を周期的に実行する。
【００６７】
以上のように構成することによって、強制換気運転中におけるＣＯ２計測値の単位時間（時間Ｔｉ）あたりの減少量が、閾値Ｘｓｈ以下になったときに、十分な強制換気運転が実行されたものとみなして自動的に強制換気運転を終了することができる。ＣＯ２センサ８Ａの出力に誤差が生じて校正が必要な状況であっても、例えば時間Ｔｉが数分程度であれば、その間に計測されるＣＯ２濃度の変化量は相対的な値であるので、ＣＯ２センサ８Ａの周囲が新鮮空気と同等となったとみなして強制換気運転を終了するというこの判定は、妥当なものとなる。よって、すでに十分な換気運転が行われているのに無駄な強制換気運転を実施することなく、ＣＯ２センサ８Ａの出力をより正確に校正することが可能となる。ＣＯ２センサ８Ａが高い精度でＣＯ２濃度を検出できるので、検出したＣＯ２濃度に応じて換気運転を実行する換気装置１００Ｂの換気運転の信頼性が高まり、室内空気のＣＯ２濃度を基準値以下に精度よく保つことができる。また、無用の換気運転を減らして換気運転に係るエネルギーを節約することができる。
【００６８】
なお、上記説明では、ＣＯ２計測値の時間Ｔｉあたりの減少量が閾値Ｘｓｈ以下になると強制換気運転を終了としていたが、例えば複数回連続してＣＯ２計測値の時間Ｔｉあたりの減少量が閾値Ｘｓｈ以下となった場合に、強制換気運転を終了するようにしてもよい。このようにすることで、ＣＯ２センサ８Ａの計測誤差の影響が抑制され、強制換気運転が十分に実施されたことを精度よく判定することができる。
【００６９】
また、上記説明では、実施の形態２と同様に、自動校正機能を備えたＣＯ２センサ８Ａを用いる例を説明したが、これに限らず実施の形態１と同様の構成でＣＯ２センサの校正を実施するようにしてもよい。
【００７０】
実施の形態４．
実施の形態１から実施の形態３においては、無人の状態で強制換気運転を行うために、時刻や日付に基づいて室内が無人であるか否かを判定していたが、換気対象の室内が無人であるか否かを判定する無人判定手段として他の例も考えられる。本実施の形態４では、無人判定手段として人感センサを用いた構成例を説明する。本実施の形態４では、実施の形態１〜実施の形態３との相違点を中心に説明する。
【００７１】
図９は、本発明の実施の形態４に係る換気装置の構成を示す図である。図９では、図３と同じ要素については同じ符号を用いて説明を省略する。
【００７２】
制御回路１０Ｃ内の人感センサインタフェース１７は、換気対象室内に設置された人感センサ２０と通信線１８を介して接続され、人感センサ２０から送信される信号を取得する通信手段である。人感センサ２０は、例えば赤外線や撮影画像等を用いた任意の方式で室内に人が存在するか否かを検出するものであり、換気装置１００Ｃの換気対象の室内と同じ室内を検知対象としている。人感センサインタフェース１７は、人感センサ２０が検知した換気対象の室内が有人であるか無人であるかの判定結果を、通信線１８を介して取得する。また、人感センサインタフェース１７は、人感センサ２０から取得した結果に基づいて、室内が無人か有人かの最終判断を実施し、結果を保持する。例えば数分程度の短時間の一時的な無人状態を人感センサ２０が検知した場合に、無人と判断してしまうのを避けるため、人感センサインタフェース１７は、無人状態の継続時間について閾値（例えば１時間以上など）を設けて、その閾値以上の時間の無人状態をもって無人と最終判断する。本実施の形態４では、人感センサ２０及び人感センサインタフェース１７が、室内が無人であるか否かを判定する無人判定手段として機能する。
【００７３】
制御回路１０内のＣＯ２センサ測定サイクル変更手段１９は、通信線９を介してＣＯ２センサ８Ａに接続されている。ＣＯ２センサ測定サイクル変更手段１９は、ＣＯ２センサ８Ａが自動校正を行うための測定サイクルＴｃを変更する機能を持つ。
【００７４】
次に、実施の形態４に係るＣＯ２センサ８Ａの校正処理に関する動作を説明する。
図１０は、本発明の実施の形態４に係る換気装置のＣＯ２センサの校正処理を説明するフローチャートである。図１０では、図６のフローチャートと同じ処理については同じ符号を用いている。
【００７５】
ステップＳ３０では、ＣＯ２センサ測定サイクル変更手段１９は、強制換気運転の実施間隔Ｔｋを、ＣＯ２センサ８Ａの測定サイクルＴｃよりも所定の時間Ｔｍだけ小さい値に設定する。例えば測定サイクルＴｃの初期値を１週間（１６８時間）、時間Ｔｍを２４時間とすれば、強制換気運転の実施間隔Ｔｋは６日間（１４４時間）となる。設定後、ステップＳ３１へ進む。
【００７６】
ステップＳ３１では、ＣＯ２センサ測定サイクル変更手段１９は、前回の強制換気運転からの経過時間Ｔｊを取得する。この経過時間Ｔｊは、例えば時計手段１４を用いて計測する。経過時間Ｔｊを取得した後は、ステップＳ３２に進む。
【００７７】
ステップＳ３２では、ＣＯ２センサ測定サイクル変更手段１９は、前回の強制換気運転からの経過時間Ｔｊが、強制換気運転の実施間隔Ｔｋ以上であるかを判定する。判定の結果、経過時間Ｔｊが強制換気運転の実施間隔Ｔｋ以上であれば（Ｓ３２；Ｙｅｓ）、ステップＳ３３へ進む。経過時間Ｔｊが強制換気運転の実施間隔Ｔｋ未満であるときは（Ｓ３２；Ｎｏ）、ステップＳ３１へ戻る。
【００７８】
ステップＳ３３では、ＣＯ２センサ測定サイクル変更手段１９は、人感センサインタフェース１７から換気対象の室内が無人であるか否かの判定結果を取得する。換気対象の室内が無人であると判定されたときには（Ｓ３３；Ｙｅｓ）、ステップＳ３４へ進み、無人でないと判定されたときには（Ｓ３３；Ｎｏ）、ステップＳ３１へ戻る。
【００７９】
ステップＳ３４では、ＣＯ２センサ測定サイクル変更手段１９は、前回の強制換気運転からの経過時間Ｔｊが、ＣＯ２センサ８Ａの測定サイクルＴｃの時間未満であるかを判定する。判定結果の結果、経過時間Ｔｊが測定サイクルＴｃの時間未満であれば（Ｓ３４；Ｙｅｓ）、ステップＳ１４へ進み、経過時間Ｔｊが測定サイクルＴｃ以上であるときは（Ｓ３４；Ｎｏ）、ステップＳ３５へ進む。
【００８０】
ステップＳ３５では、ＣＯ２センサ測定サイクル変更手段１９は、次に示すように、ＣＯ２センサ８Ａの測定サイクルＴｃを変更する処理を行う。ここで、ステップＳ３５に進んだ状態は、前回強制換気運転を実施してからＣＯ２センサ８Ａの測定サイクルＴｃ以上の時間が経過したことを表している。よって、測定サイクルＴｃの間に強制換気運転が実施できなかったことになる。この状態では、ＣＯ２センサ８Ａは室外の新鮮空気と同等のＣＯ２濃度を検出できていないことになるため、ＣＯ２センサ８Ａの校正を正しく行えない。そこで、ＣＯ２センサ測定サイクル変更手段１９は、例えばステップＳ３５に到達した回数が所定回数以上となった場合には、測定サイクルＴｃの期間が長くなるように変更する。この場合、前回の強制換気運転からの経過時間Ｔｊに基づいて、この経過時間Ｔｊよりも大きい値となるように測定サイクルＴｃを変更する。なお、このとき前回の強制換気運転からの経過時間Ｔｊの代わりに、ステップＳ３５に到達したときの複数回の経過時間Ｔｊの平均値を使用するようにしてもよい。ＣＯ２センサ８Ａの測定サイクルＴｃを変更した後は、ステップＳ３６へ進む。
【００８１】
ステップＳ３６では、風量制御手段１３は、ステップＳ３５で変更した測定サイクルＴｃに基づいて、ステップＳ３０と同様に、強制換気運転の実施間隔Ｔｋが測定サイクルＴｃよりも所定の時間Ｔｍだけ小さくなるように実施間隔Ｔｋを再設定する。その後、ステップＳ１４へ進む。
【００８２】
ステップＳ１４では、実施の形態２と同様に、給気ファン４及び排気ファン７を制御して、所定の換気風量で所定の時間、強制換気運転を実施する。強制換気運転は、ＣＯ２センサ８Ａの周囲の空気が新鮮空気と同等になるようにするための運転であり、強制換気運転の換気風量及び時間は、予め定められている。強制換気運転が終了すると、ステップＳ３７へ進む。
【００８３】
ステップＳ３７では、前回の強制換気運転からの経過時間ＴｊをクリアしてステップＳ３１へ戻る。
【００８４】
図１０では記載を省略しているが、上述のような強制換気運転と並行して、ＣＯ２センサ８Ａは、実施の形態２の図６のステップＳ２０〜ステップＳ２４と同様の校正処理を実行する。このとき、ＣＯ２センサ８Ａが校正処理を実行する間隔である測定サイクルＴｃは、ＣＯ２センサ測定サイクル変更手段１９が設定した値となる。
【００８５】
したがって、強制換気運転の実施間隔ＴｋからＣＯ２センサ８Ａの測定サイクルＴｃの範囲の時間間隔で、換気対象の室内が無人状態となったときに、強制換気運転が実施され、ＣＯ２センサ８Ａの自動校正が適切に行われる。
【００８６】
また、ＣＯ２センサ８Ａの測定サイクルＴｃの間で、換気対象の室内が無人とならなかった場合には、実際に無人となるまでの時間間隔に基づいて、自動的に測定サイクルＴｃが更新されるので、換気対象の室内の人の出入り状況に応じたタイミングで適切にＣＯ２センサ８Ａの自動校正が行われるようになる。したがって、ＣＯ２センサ８Ａの出力をより正確に校正することが可能となる。ＣＯ２センサ８Ａが高い精度でＣＯ２濃度を検出できるので、検出したＣＯ２濃度に応じて換気運転を実行する換気装置１００Ｃの換気運転の信頼性が高まり、室内空気のＣＯ２濃度を基準値以下に精度よく保つことができる。また、無用の換気運転を減らして換気運転に係るエネルギーを節約することができる。
【００８７】
なお、上記説明では、人感センサ２０は、単体で室内に設置されて換気装置１００Ｃと接続された例を示したが、この人感センサ２０は、別途設けられた空気調和装置に内蔵されたものであってもよい。空気調和装置の中には、効率的な空調動作を行うために人感センサを内蔵したものがあり、一方で換気装置の中には、空気調和装置と通信線で接続して冷暖房の効率を高めるなどの連係動作を行う機能を有するものがある。このような空気調和装置と換気装置とを組み合わせた空調システムにおいては、製造コストをほとんど上昇させることなく、空気調和装置の人感センサの検知情報を、換気装置で利用することが可能である。
【００８８】
また、換気対象の室内が無人であるかどうかを判定する無人判定手段の具体的構成は、上記のような人感センサに限定されず、人感センサ以外であっても、上記と同様にＣＯ２センサ８Ａの出力の校正を実施することができる。無人判定手段の他の例を以下に示す。
【００８９】
例えば、換気対象の室内の照明が消えているときに無人と判定する方法が考えられる。この場合、照度センサの出力を取得する通信手段（通信インタフェース）を換気装置に設けて照度センサと換気装置とを接続し、照明が定められた時間以上消えていることを照度センサが検出したか否かによって、換気対象の室内が無人であるか否かを判定することができる。そのほか、例えば照明装置の点灯状態と消灯状態とを切り替える照明スイッチの出力を取得する通信手段（通信インタフェース）を換気装置に設け、照明スイッチと換気装置とを通信接続し、照明スイッチがＯＮ状態とＯＦＦ状態のいずれであるかを判定することによって、換気対象の室内が無人であるか否かを判定することができる。
【００９０】
また、操作入力を受け付けるリモコンを換気装置が備えている場合には、このリモコンへの操作入力があってから一定期間は室内に人がいると判定することによって、換気対象の室内が無人であるか否かを判定することができる。また、換気装置と空気調和装置とが通信接続された空調システムであれば、換気装置のリモコンに加え、あるいはこれに代えて、空気調和装置のリモコンへの操作入力の有無によって換気対象の室内が無人状態であるか否かを判定することもできる。なお、複数の換気装置と空気調和装置が集中管理される集中管理システムにおいては、換気装置と空気調和装置は室外から遠隔操作される可能性があるため、リモコンの操作元が換気対象の室内であるかどうかを判別して室内からの操作のみを、無人の判定に用いる。
【００９１】
また、換気対象が無人状態かどうかを判定するための構成（時刻、人感センサ、照度センサ、照明スイッチ、換気装置のリモコン、及び空気調和装置のリモコン）は、複数を組み合わせてもよい。このようにすることで、換気対象の室内が無人状態であるか否かをより正確に判定することができる。
【００９２】
また、上記実施の形態１〜実施の形態４では、ＣＯ２センサ８又はＣＯ２センサ８Ａが自身の出力を校正することを説明したが、校正手段８２又は校正手段８２Ａに相当する物理的構成を換気装置の制御回路に設けることもできる。
【００９３】
また、上記実施の形態１〜実施の形態４では、給気及び排気をそれぞれ給気用の送風機（給気ファン４）と排気用の送風機（排気ファン７）で機械的に行う第一種換気方式の換気装置を例に説明したが、本発明は、第二種換気方式の換気装置及び第三種換気方式の換気装置に適用することもできる。
換気装置に設けられた給気用の送風機を動作させて給気を行う一方で自然に排気させる第二種換気方式の換気装置に本発明を適用する場合には、ＣＯ２センサを、室外側給気口から室内側給気口へ至る給気通路を避けた位置であって、室内空気のＣＯ２濃度を計測可能な位置に設ける。例えば、室内に面した換気装置の筐体表面など、室内空気が流通する位置にＣＯ２センサを設けることができ、その場合、室内への給気（外気）が直接的にＣＯ２センサに当たりにくいように、給気口からなるべく距離をおいた位置にＣＯ２センサを設けるのが好ましい。あるいは、ＣＯ２センサを、換気装置の筐体とは離して室内に設置し、そのＣＯ２センサの検出値を、有線又は無線通信で換気装置に入力するようにしてもよい。
また、換気装置に設けられた排気用の送風機を動作させて排気を行う一方で自然に給気させる第三種換気方式の換気装置に本発明を適用する場合には、ＣＯ２センサを、実施の形態１と同様に配置することができる。あるいは、換気装置の筐体とは離して室内に設置したＣＯ２センサの検出値を、有線又は無線通信で換気装置に入力するようにしてもよい。
【符号の説明】
【００９４】
１  室外側給気口、２  熱交換素子、３  室内側給気口、４  給気ファン、５  室内側排気口、６  室外側排気口、７  排気ファン、８、８Ａ  ＣＯ２センサ、９  通信線、１０、１０Ａ、１０Ｂ、１０Ｃ  制御回路、１１  ＣＯ２計測値記憶手段、１２  ＣＯ２センサ校正実行指示手段、１３  風量制御手段、１４  時計手段、１６  ＣＯ２前回計測値記憶手段、１７  人感センサインタフェース、１８  通信線、１９  ＣＯ２センサ測定サイクル変更手段、２０  人感センサ、８１  センサ部、８２、８２Ａ  校正手段、８３  記憶手段、８４  時計手段、１００、１００Ａ、１００Ｂ、１００Ｃ  換気装置、１０１  筐体、１０２  給気通路、１０３  排気通路。
【図１】
2014173799.tif 000003
【図２】
2014173799.tif 000004
【図３】
2014173799.tif 000005
【図４】
2014173799.tif 000006
【図５】
2014173799.tif 000007
【図６】
2014173799.tif 000008
【図７】
2014173799.tif 000009
【図８】
2014173799.tif 000010
【図９】
2014173799.tif 000011
【図１０】
2014173799.tif 000012